(57)【要約】【課題】  ペンホルダを備えていても、機器全体の外観を損なわず、機器全体のコンパクト化が図れる電子機器を提供する。【解決手段】  第１ケース１と第２ケース２との互いに対応する端部同士をヒンジ部３によって回動可能に連結すると共に、このヒンジ部３の内部に電池１１を収納する電池収納部１２を設け、この電池収納部１２に電池蓋１３を着脱可能に取り付け、この電池蓋１３の内面に入力ペン６を収納するペンホルダ１８を設けた。従って、電池収納部１２とペンホルダ１８とを別々の箇所に設けずに、ヒンジ部３に集約して設けることができると共に、ヒンジ部３の電池収納部１２の空間を有効に利用してペンホルダ１８を設けることができる。このため、ヒンジ部３の実装密度を高めることができるの、ペンホルダ１８を備えていても、機器全体の外観を損なわず、機器全体のコンパクト化を図ることができる。【選択図】        図３
2008140648.tif 000002
【特許請求の範囲】
【請求項１】
第１ケースと第２ケースとの互いに対応する端部同士をヒンジ部によって回動可能に連結すると共に、このヒンジ部の内部に電池を収納する電池収納部を設け、この電池収納部に電池蓋を着脱可能に取り付けた電子機器において、
前記電池蓋の内面に、入力ペンを挿脱可能に収納するペンホルダを設けたことを特徴とする電子機器。
【請求項２】
前記電池収納部は、前記ヒンジ部に対応する箇所における底面側と背面側とに開放されており、
前記電池蓋は、前記電池収納部の底面側の開放部分を覆って塞ぐ底面部と、前記電池収納部の背面側の開放部分を覆って塞ぐ背面部とを有し、前記底面部と前記背面部とを湾曲部によって連続させて形成した構成であり、
前記ペンホルダは、前記電池蓋における前記湾曲部の内面に対応するほぼ半円筒状に形成され、その内部に前記電池蓋の前記湾曲部とによってほぼ円柱状の空間を形成することを特徴とする請求項１に記載の電子機器。
【請求項３】
前記ペンホルダの長手方向に沿う一辺部には第１係合部が設けられていると共に、前記ペンホルダの長手方向に沿う他辺部には第２係合部が設けられており、
前記電池蓋の内面には、前記ペンホルダの前記一辺部に設けられた前記第１係合部を前記ペンホルダの長手方向に沿ってスライド可能に係止するスライド係止部と、前記ペンホルダがスライドして所定に到達したときに前記ペンホルダの前記他辺部に設けられた前記第２係合部を係脱可能に係止する固定係止部とが設けられていることを特徴とする請求項２に記載の電子機器。
【請求項４】
前記ペンホルダに収納された状態で外部に露出する前記入力ペンの頭部は、非円形状に形成されており、前記電池蓋の両端部に位置する前記電池収納部の両端部に設けられた閉塞部のうち、一方の閉塞部には、前記入力ペンを前記ペンホルダ内にガイドするペン挿入部が、前記頭部とほぼ同じ形状に形成されていることを特徴とする請求項１〜３のいずれかに記載の電子機器。
【請求項５】
前記ペン挿入部が形成された前記閉塞部には、前記入力ペンの前記頭部を前記ペン挿入部から前記電池収納部の背面側に挿脱可能に露出させる開放部が設けられていることを特徴とする請求項４に記載の電子機器。
【発明の詳細な説明】
【技術分野】
【０００１】
この発明は、電子辞書や電子手帳、電卓、携帯電話機、携帯情報端末機（ＰＤＡ：パーソナル・デジタル・アシスタント）などの電子機器に関する。
【背景技術】
【０００２】
従来、携帯情報端末機などの電子機器においては、第１、第２ケースをヒンジ部によって回動可能に連結し、携帯するときにヒンジ部を中心に第１、第２ケースを回動させて折り畳み、使用するときにヒンジ部を中心に第１、第２ケースを回動させて開くように構成した折り畳み式のものが知られている。
【０００３】
このような折り畳み式の電子機器では、機器全体をコンパクトに構成するため、特許文献１に記載されているように、第１、第２ケースを回動可能に連結するヒンジ部に電池収納部を設け、この電池収納部に電池を収納するように構成している。
【特許文献１】特開２００２−２１６７２９号
【発明の開示】
【発明が解決しようとする課題】
【０００４】
しかしながら、このような従来の折り畳み式の電子機器においては、第１、第２ケースを回動可能に連結するヒンジ部に電池収納部を設け、この電池収納部に電池を収納するだけであるから、十分に電池収納部を有効に利用していない。例えば、入力ペンを用いて入力操作をする必要がある折り畳み式の電子機器では、電池収納部のほかに、入力ペンを収納するためのペンホルダが必要になり、このペンホルダを第１、第２ケースの側面や前面などの外周面に設けている。
【０００５】
このような折り畳み式の電子機器では、電池収納部と別の箇所に入力ペンを収納するペンホルダを設けているので、機器全体のコンパクト化を十分に図ることができないばかりか、第１、第２ケースの側面や前面などの外周面に設けられたペンホルダによって、機器全体の外観が損なわれるという問題がある。
【０００６】
この発明が解決しようとする課題は、ペンホルダを備えていても、機器全体の外観を損なわずに、機器全体のコンパクト化を図ることができる電子機器を提供することである。
【課題を解決するための手段】
【０００７】
この発明は、上記課題を解決するために、次のような構成要素を備えている。
請求項１に記載の発明は、第１ケースと第２ケースとの互いに対応する端部同士をヒンジ部によって回動可能に連結すると共に、このヒンジ部の内部に電池を収納する電池収納部を設け、この電池収納部に電池蓋を着脱可能に取り付けた電子機器において、
前記電池蓋の内面に、入力ペンを挿脱可能に収納するペンホルダを設けたことを特徴とする電子機器である。
【０００８】
請求項２に記載の発明は、前記電池収納部が、前記ヒンジ部に対応する箇所における底面側と背面側とに開放されており、
前記電池蓋は、前記電池収納部の底面側の開放部分を覆って塞ぐ底面部と、前記電池収納部の背面側の開放部分を覆って塞ぐ背面部とを有し、前記底面部と前記背面部とを湾曲部によって連続させて形成した構成であり、
前記ペンホルダは、前記電池蓋における前記湾曲部の内面に対応するほぼ半円筒状に形成され、その内部に前記電池蓋の前記湾曲部とによってほぼ円柱状の空間を形成することを特徴とする請求項１に記載の電子機器である。
【０００９】
請求項３に記載の発明は、前記ペンホルダの長手方向に沿う一辺部に第１係合部が設けられていると共に、前記ペンホルダの長手方向に沿う他辺部には第２係合部が設けられており、前記電池蓋の内面には、前記ペンホルダの前記一辺部に設けられた前記第１係合部を前記ペンホルダの長手方向に沿ってスライド可能に係止するスライド係止部と、前記ペンホルダがスライドして所定位置に到達したときに前記ペンホルダの前記他辺部に設けられた前記第２係合部を係脱可能に係止する固定係止部とが設けられていることを特徴とする請求項２に記載の電子機器である。
【００１０】
請求項４に記載の発明は、前記ペンホルダに収納された状態で外部に露出する前記入力ペンの頭部が、非円形状に形成されており、前記電池蓋の両端部に位置する前記電池収納部の両端部に設けられた閉塞部のうち、一方の閉塞部には、前記入力ペンを前記ペンホルダ内にガイドするペン挿入部が、前記頭部とほぼ同じ形状に形成されていることを特徴とする請求項１〜３のいずれかに記載の電子機器である。
【００１１】
請求項５に記載の発明は、前記ペン挿入部が形成された前記閉塞部に、前記入力ペンの前記頭部を前記ペン挿入部から前記電池収納部の背面側に挿脱可能に露出させる開放部が設けられていることを特徴とする請求項４に記載の電子機器である。
【発明の効果】
【００１２】
この発明によれば、電池を収納する電池収納部と入力ペンを収納するペン収納部とを、別々の箇所に設ける必要がなく、第１、第２ケースを回動可能に連結するヒンジ部に集約して設けることができると共に、ヒンジ部に設けられた電池収納部の空間を有効に利用してペンホルダを設けることができる。これにより、ヒンジ部における実装密度を高めることができるので、入力ペンを収納するペンホルダを備えていても、機器全体の外観を損なうことがなく、機器全体のコンパクト化を図ることができる。
【発明を実施するための最良の形態】
【００１３】
以下、図１〜図８を参照して、この発明を電子辞書に適用した一実施形態について説明する。
図１はこの発明の電子辞書を開いて使用する状態を示した斜視図である。
この電子辞書は、第１ケース１と第２ケース２とをヒンジ部３によって回動可能に連結した折り畳み式のものである。この場合、第１、第２ケース１、２は、それぞれ同じ大きさのほぼ平板状の薄い箱形状に形成され、ヒンジ部３を中心に回動して閉じたときに、第１、第２ケース１、２が互いに重なり合うように構成されている。
【００１４】
この第１ケース１には、図１に示すように、キー入力部４が第２ケース２に対面する第１ケース１の上面から露出して設けられており、第２ケース２には、入力表示部５が第１ケース１に対面する第２ケース２の上面に設けられた開口部２ａから露出して設けられている。第１ケース１のキー入力部４は、文字キー、ファンクションキー、カーソルキーなどの辞書機能に必要な各種のキー釦４ａを備え、これら各キー釦４ａが第２ケース２に対面する第１ケース１の上面から露出するように構成されている。
【００１５】
また、第２ケース２の入力表示部５は、表示機能とタッチ入力機能とを兼ね備えたものであり、表示パネルの表面に透明なタッチパネルを積層し、このタッチパネルが図１に示すように第２ケース２の開口部２ａから露出し、この状態で表示パネルに表示された情報が、透明なタッチパネルおよび第２ケース２の開口部２ａを通して外部から見えるように構成されている。
【００１６】
すなわち、入力表示部５の表示パネルは、液晶表示パネルやＥＬ（エレクトロルミネッセンス）表示パネルなどの平面型のものであり、キー入力部４の入力操作に応じて辞書機能に必要な情報、およびタッチパネルでタッチ入力された手書き情報を電気光学的に表示するように構成されている。また、透明なタッチパネルは、第２ケース２の開口部２ａから露出する表面を後述する入力ペン６でタッチ操作することにより、表示パネルに表示された情報を選択したり、あるいは入力ペン６のタッチ操作による手書き情報を入力したりするように構成されている。
【００１７】
一方、第１、第２ケース１、２を回動可能に連結するヒンジ部３は、図１に示すように、第１ケース１の背面側に位置する端部（図１では奥側の端部）に設けられた第１ヒンジ部７と、第２ケース２の背面側に位置する端部（図１では手前側の端部）に設けられた第２ヒンジ部８とを備え、これら第１ケース１の第１ヒンジ部７と第２ケース２の第２ヒンジ部８とを図２に示すヒンジ軸９によって回動可能に連結した構成になっている。
【００１８】
すなわち、第１ヒンジ部７は、図１および図２に示すように、第１ケース１の背面側（図１では奥側）の端部における左右の両側部分を除く中間部分に、第１ケース１の上面から上方に向けてほぼ半円筒状に突出して形成されている。第２ヒンジ部８は、図１に示すように、第２ケース２の背面側（図１では手前側）の端部における左右の両側部分に、第２ケース２の手前側に向けてほぼ半円筒状に突出して形成されている。この場合、第１ケース１の第１ヒンジ部７は、第２ケース２の第２ヒンジ部８よりも十分に長く形成されている。また、第２ケース２の背面側（図１では手前側）の端部における中間部分には、図１に示すように、その左右の両側部分に設けられた第２ヒンジ部８によって、第１ヒンジ部７が挿入する切欠凹部１０が設けられている。
【００１９】
従って、ヒンジ部３は、図１に示すように、第１ケース１の第１ヒンジ部７が第２ケース２の切欠凹部１０に挿入して配置されることにより、第１ケース１の第１ヒンジ部７の両側に第２ケース２の第２ヒンジ部８がそれぞれ連続して配置され、この状態で第１ヒンジ部７の端面と第２ヒンジ部８の端面とが、図２に示すヒンジ軸９によって回転可能に連結されるように構成されている。これにより、ヒンジ部３は、ヒンジ軸９を中心に第１、第２ヒンジ部７、８が相対的に回転することにより、第１、第２ケース１、２を相対的に回動させて開閉させるように構成されている。この場合、ヒンジ軸９は、図２に示すように、その一端部が第１ヒンジ部７の両側の端面にそれぞれ固定されている。
【００２０】
このヒンジ部３には、図２および図３に示すように、電池１１を収納する電池収納部１２が設けられている。すなわち、この電池収納部１２は、図３に示すように、第１ケース１の第１ヒンジ部７に対応する箇所における第１ケース１の底部から第１ヒンジ部７の内部に亘って設けられ、その開放部分に電池蓋２３が着脱可能に取り付けられるように構成されている。この場合、電池１１は、円柱状の乾電池である。また、電池収納部１２は、２つの電池１１が連続して配置される細長い空間であり、ヒンジ部３の第１ヒンジ部７に対応する箇所の第１ケース１の下面側と第１ケース１の背面側とに開放されている。
【００２１】
電池蓋１３は、図２および図３に示すように、ヒンジ部３の第１ヒンジ部７における背面から第１ケース１の下面に亘って着脱可能に装着されることにより、電池収納部１２の開放部分を塞ぐように構成されている。すなわち、この電池蓋１３は、電池収納部１２の底面側、つまり第１ヒンジ部７に対応する箇所の第１ケース１の下面側の開放部分を覆って塞ぐ底面部１３ａと、電池収納部１２の背面側、つまり第１ヒンジ部７に対応する箇所の第１ケース１の背面側の開放部分を覆って塞ぐ背面部１３ｂとを有し、これら底面部１３ａと背面部１３ｂとが外側に向けて凸となる湾曲部１３ｃによってほぼＬ字形状に連続して形成されている。
【００２２】
この場合、電池蓋１３の底面部１３ａには、図４〜図６に示すように、係合突起１４が前方（図４では手前側）に向けて突出して設けられており、電池蓋１３の背面部１３ｂにおける内側の上端部には、複数の係合フック１５が設けられている。一方、電池蓋１３に対応する電池収納部１２内に位置する第１ケース１の底部には、図３に示すように、電池蓋１３の底面部１３ａに設けられた係合突起１４が係脱可能に係合する係止穴１６が設けられており、第１ケース１の第１ヒンジ部７内に位置する電池収納部１２内における背面側の縁部には、電池蓋１３の背面部１３ｂに設けられた複数の係合フック１５をそれぞれ係脱可能に係止する複数の係止部１７が設けられている。
【００２３】
これにより、電池蓋１３は、図３に示すように、第１ケース１の背面側から電池蓋１３の底面部１３ａを電池収納部１２内に位置する第１ケース１の底面に挿入させてスライドさせると、図２に示すように、電池蓋１３の底面部１３ａが電池収納部１２の底面側の開放部分を覆って塞ぐと共に、電池蓋１３の背面部１３ｂが電池収納部１２の背面側の開放部分を覆って塞ぐように構成されている。
【００２４】
このときに、電池蓋１３は、図２に示すように、その底面部１３ａが電池収納部１２内に位置する第１ケース１の底面に密着して、電池蓋１３の係合突起１４が第１ケース１の係止穴１６に係止されると共に、電池蓋１３の背面部１３ｂが電池収納部１２内に位置する第１ケース１の第１ヒンジ部７の背面に密着して、電池蓋１３の係合フック１５が電池収納部１２の背面側の縁部に設けられた係合部１７に係止され、これにより電池収納部１２に着脱可能に取り付けられるように構成されている。
【００２５】
また、この電池蓋１３の内面には、図４に示すように、入力ペン６を挿脱可能に収納するペンホルダ１８が設けられている。このペンホルダ１８は、図８に示すように、電池蓋１３における外側に向けて凸となる湾曲部１３ｃの内面に対応するほぼ半円筒状に形成され、その内部が電池蓋１３の湾曲部１３ｃとによってほぼ円柱状の空間を形成するように構成されている。この場合、ペンホルダ１８の長手方向に沿う一辺部１８ａには、図４〜図６に示すように、第１係合部２０が設けられている。また、ペンホルダ１８の長手方向に沿う他辺部１８ｂには、第２係合部２１が設けられている。
【００２６】
これに伴って、電池蓋１３の内面には、図４〜図６に示すように、ペンホルダ１８の一辺部１８ａに設けられた第１係合部２０をペンホルダ１８の長手方向に沿ってスライド可能に係止するスライド係止部２２が設けられている。また、この電池蓋１３の内面には、その長手方向に沿ってペンホルダ１８がスライドして所定位置、つまりペンホルダ１８の右端部が電池蓋１３の右端部に到達したときに、図５に示すように、ペンホルダ１８の他辺部１８ｂに設けられた第２係合部２１を係脱可能に係止する固定係止部２３が設けられている。
【００２７】
これにより、ペンホルダ１８は、図６に示すように、電池蓋１３の湾曲部１３ｃの内面に対応するように、ペンホルダ１８の右側部分を電池蓋１３の内面における左寄りに配置して、ペンホルダ１８の一辺部１８ａに設けられた第１係合部２０を電池蓋１３のスライド係止部２２にスライド可能に係合させ、この状態でペンホルダ１８を右側に向けてスライドさせてペンホルダ１８の右端部を電池蓋１３の右端部に到達させると、図５に示すように、ペンホルダ１８の他辺部１８ｂに設けられた第２係合部２１が電池蓋１３の固定係止部２３に係脱可能に係止され、これにより電池蓋１３に取り付けられるように構成されている。
【００２８】
また、このペンホルダ１８は、電池蓋１３が電池収納部１２に取り付けられたときに、図２および図３に示すように、ペンホルダ１８の両端部が電池収納部１２の両端部に設けられた閉塞部２４、２５に対応して塞がれるように構成されている。すなわち、閉塞部２４、２５は、電池蓋１３の両端部に位置する電池収納部１２内の両端部に設けられている。そして、ペンホルダ１８の一端部（図３では左側の端部）に位置する閉塞部２４には、図３および図７に示すように、入力ペン６をペンホルダ１８内にガイドするペン挿入部２６が設けられている。
【００２９】
この場合、入力ペン６は、そのペン本体６ａが丸棒状に形成に形成され、先端が先細の円錐形に形成されていると共に、他端の頭部６ｂが図７に示すようにペン本体６ａよりも大きいほぼ蒲鉾形状に形成され、このほぼ蒲鉾形状の頭部６ｂに滑り止め用の凹凸溝部６ｃが設けられた構成になっている。これに伴って、閉塞部２４のペン挿入部２６は、図３に示すように、入力ペン６の頭部６ｂと同じ大きさのほぼ蒲鉾形状に形成され、入力ペン６がペンホルダ１８内に挿入されたときに、入力ペン６の頭部６ｂが嵌合し、これにより入力ペン６がペンホルダ１８内で回転しないように構成されている。
【００３０】
また、このペン挿入部２６が設けられた閉塞部２４には、図３に示すように、入力ペン６の頭部６ｂが嵌合した状態で、その頭部６ｂを電池収納部１２の背面側つまり第１ケース１の背面側に挿脱可能に露出させる開放部２６ａが設けられている。これにより、入力ペン６は、図２に示すように、電池蓋１３を電池収納部１２に取り付けた状態で、ペン挿入部２６を通してペンホルダ１８内に挿脱可能に挿入されると共に、図３に示すように、入力ペン６の頭部６ｂがペン挿入部２６の開放部２６ａを挿通することにより、ペンホルダ１８に入力ペン６を収納した状態でも、電池蓋１３を電池収納部１２から取り外せるように構成されている。
【００３１】
この場合、入力ペン６は、図２および図３に示すように、その頭部６ｂがペン挿入部２６に嵌合したときに、頭部６ｂに設けられた滑り止め用の凹凸溝部６ｃがペン挿入部２６の開放部２６ａに対応して配置されることにより、この頭部６ｂの凹凸溝部６ｃがペン挿入部２６の開放部２６ａから外部に露出する。これにより、入力ペン６は、電池蓋１３が電池収納部１２に取り付けられた状態のときに、ペン挿入部２６の開放部２６ａから露出した滑り止め用の凹凸溝部６ｃに指を当てて入力ペン６を押し出すことにより、ペン挿入部２６を通してペンホルダ１８から取り出させるように構成されている。
【００３２】
このような電子辞書によれば、第１ケース１と第２ケース２との互いに対応する端部同士をヒンジ部３によって回動可能に連結すると共に、このヒンジ部３の内部に電池１１を収納する電池収納部１２を設け、この電池収納部１２に電池蓋１３を着脱可能に取り付けると共に、この電池蓋１３の内面に入力ペン６を挿脱可能に収納するペンホルダ１８を設けたので、電池１１を収納する電池収納部１２と入力ペン６を収納するペンホルダ１８とを、別々の箇所に設ける必要がなく、第１、第２ケース１、２を回動可能に連結するヒンジ部３に集約して設けることができる。
【００３３】
すなわち、電池収納部１２は、第１ケース１の第１ヒンジ部７に対応する第１ケース１の底部から第１ヒンジ部７の内部に亘って設けられており、ペンホルダ１８は、電池収納部１２の開放部分を塞ぐ電池蓋１３の内面に設けられて電池収納部１２内に配置されているので、ヒンジ部３に設けられた電池収納部１２の空間を有効に利用してペンホルダ１８を設けることができる。これにより、ヒンジ部３における実装密度を高めることができるので、入力ペン６を収納するペンホルダ１８を備えていても、機器全体の外観を損なうことがなく、十分に機器全体のコンパクト化を図ることができる。
【００３４】
この場合、電池収納部１２は、第１ヒンジ部７に対応する箇所に設けられ、この箇所における第１ケース１の底面側と背面側とに開放されており、電池蓋１３は、電池収納部１２の底面側の開放部分を覆って塞ぐ底面部１３ａと、電池収納部１２の背面側の開放部分を覆って塞ぐ背面部１３ｂとを有し、これら底面部１３ａと背面部１３ｂとが外側に向けて凸となる湾曲部１３ｃによって連続して形成されており、ペンホルダ１８は、電池蓋１３における湾曲部１３ｃの内面に対応するほぼ半円筒状に形成され、その内部に電池蓋１３の湾曲部１３ｃとによってほぼ円柱状の空間を形成することにより、電池蓋１３の湾曲部１３ｃを利用してペンホルダ６を最小限の大きさに形成することができると共に、ペンホルダ１８を電池収納部１２の内部に効率良くコンパクトに設けることができる。
【００３５】
また、ペンホルダ１８の長手方向に沿う一辺部１８ａには、第１係合部２０が設けられていると共に、ペンホルダ１８の長手方向に沿う他辺部１８ｂには、第２係合部２１が設けられており、電池蓋１３の内面には、ペンホルダ１８の一辺部１８ａに設けられた第１係合部２０をペンホルダ１８の長手方向に沿ってスライド可能に係止するスライド係止部２２と、ペンホルダ１８がスライドして所定に到達したときにペンホルダ１８の他辺部１８ｂに設けられた第２係合部２１を係脱可能に係止する固定係止部２３とが設けられていることにより、ペンホルダ１８を電池蓋１３の内面に沿ってスライドさせるだけで、簡単に且つ容易にペンホルダ１８を電池蓋１３に取り付けることができる。
【００３６】
すなわち、ペンホルダ１８を電池蓋１３に取り付けるときには、図６に示すように、まず、ペンホルダ１８を電池蓋１３の湾曲部１３ｃの内面に対応させ、ペンホルダ１８の右側部分を電池蓋１３の内面における左寄りに配置して、ペンホルダ１８の一辺部１８ａに設けられた第１係合部２０を電池蓋１３スライド係止部２２にスライド可能に係合させる。この状態で、ペンホルダ１８を右側に向けてスライドさせてペンホルダ１８の右端部を電池蓋１３の右端部に到達させると、図５に示すように、ペンホルダ１８の他辺部１８ｂに設けられた第２係合部２１が電池蓋１３の固定係止部２３に係脱可能に係合する。このため、固定ビスなどを用いずに、簡単に且つ確実にペンホルダ１８を電池蓋１３に取り付けることができる。
【００３７】
また、この電池蓋１３は、図３に示すように、電池蓋１３の底面部１３ａを電池収納部１２内に位置する第１ケース１の底面に電池収納部１２の背面側から挿入させてスライドさせ、図２に示すように、電池蓋１３の底面部１３ａが電池収納部１２の底面側の開放部分を塞ぐと共に、電池蓋１３の背面部１３ｂが電池収納部１２の背面側の開放部分を塞ぐと、電池蓋１３の底面部１３ａが第１ケース１の底面に密着して、電池蓋１３の係合突起１４が第１ケース１の係止穴１６に係止されると共に、電池蓋１３の背面部１３ｂが電池収納部１２内に位置する第１ケース１の第１ヒンジ部７の背面に密着して、電池蓋１３の係合フック１５が電池収納部１２の背面側の縁部に設けられた係合部１７に係止されるので、簡単に電池蓋１３を電池収納部１２に対して着脱することができる。
【００３８】
さらに、ペンホルダ１８に収納された状態で外部に露出する入力ペン６の頭部６ｂは、ほぼ蒲鉾形状に形成されており、電池蓋１３の両端部に位置する電池収納部１２の両端部には、それぞれ閉塞部２４、２５が設けられ、この閉塞部２４、２５のうち、一方（図３では左側）の閉塞部２４には、入力ペン６をペンホルダ１８内にガイドするペン挿入部２６が、入力ペン６の頭部６ｂと同じ蒲鉾形状に形成されているので、図２に示しように、電池蓋１３を電池収納部１２に取り付けた状態で、ペン挿入部２６を通して入力ペン６をペンホルダ１８内に挿脱可能に収納することができると共に、入力ペン６をペンホルダ１８内に収納したときに、入力ペン６の頭部６ｂがペン挿入部２６に嵌合するので、ペンホルダ１８内に収納された入力ペン６が勝手に回転しないように収納することができる。
【００３９】
この場合、ペン挿入部２６が設けられた閉塞部２４には、入力ペン６の頭部６ｂが嵌合した状態で、その頭部６ｂをペン挿入部２６内から第１ケース１の背面側に挿脱可能に露出させる開放部２６ａが設けられているので、図２に示しように、電池蓋１３を電池収納部１２に取り付けた状態で、ペン挿入部２６を通して入力ペン６をペンホルダ１８内に挿脱可能に収納することができるほか、図３に示しように、入力ペン６の頭部６ｂがペン挿入部２６の開放部２６ａを挿通することにより、入力ペン６をペンホルダ１８に収納した状態でも、電池蓋１３を電池収納部１２から容易に取り外すことができ、これにより電池交換のときに、入力ペン６を紛失することがないので、使い勝手の良いものを提供することができる。
【００４０】
また、入力ペン６は、その頭部６ｂに滑り止め用の凹凸溝部６ｃが設けられ、入力ペン６がペンホルダ１８に収納されて頭部６ｂがペン挿入部２６に嵌合したときに、頭部６ｂの凹凸溝部６ｃがペン挿入部２６の開放部２６ａから外部に露出するので、図２に示すように、電池蓋１３を電池収納部１２に取り付けた状態で、開放部２６ａから露出した滑り止め用の凹凸溝部６ｃに指を当てることができると共に、この状態で入力ペン６をペンホルダ１８内から外部に確実に押し出すことができるので、ペン挿入部２６を通して入力ペン６をペンホルダ１８から容易に取り出すことができる。
【００４１】
なお、上記実施形態では、入力ペン６が電池収納部１２内のペンホルダ１８に単に収納されるだけである場合について述べたが、これに限らず、例えば図９および図１０に示すように、入力ペン６の内部に磁石２８を設け、この磁石２８で第２ケース２内に設けられた補強用の金属フレーム（図示せず）に着脱可能に吸着させるように構成しても良い。このように構成すれば、入力ペン６を使用すると共に、キー入力部４で入力するときに、その都度、入力ペン６をペンホルダ１８に収納しなくても、第２ケース２の表面に簡単に且つ容易に吸着させて置くことができるので、より一層、使い勝手が良い。
【００４２】
また、上記実施形態では、入力ペン６の頭部６ｂをほぼ蒲鉾形状に形成した場合について述べたが、これに限らず、入力ペン６の頭部６ｂを、ペン本体６ａの外径よりも大きい、三角形、四角形、五角形などの多角形状、または楕円形状に形成しても良く、要は入力ペン６の頭部６ｂをペン本体６ａの外径よりも大きい円形以外の非円形状に形成した構成であれば良い。このように構成しても、上述した実施形態と同様、入力ペン６がペンホルダ１８に収納されて、入力ペン６の頭部６ｂがペン挿入部２６に嵌合したときに、入力ペン６がペンホルダ１８内で勝手に回転しないように収納することができる。
【００４３】
さらに、上記実施形態では、ヒンジ部３が、第１ケース１の背面側に位置する端部の中間部分に設けられた第１ヒンジ部７と、これに対応する第２ケース２の端部両側に設けられた第２ヒンジ部８とを備え、この第１、第２ヒンジ部７、８をヒンジ軸９で回動可能に連結した場合について述べたが、これに限らず、例えば図１１に示すように、第１ケース１の背面側に位置する端部の両側にそれぞれ第２ヒンジ部８を設け、これに対応する第２ケース２の端部における中間部分に第１ヒンジ部７を設け、この第１、第２ヒンジ部７、８をヒンジ軸９で回動可能に連結した構成でも良い。この場合には、第２ケース２の第１ヒンジ部７に対応する箇所に電池収納部１２、電池蓋１３、およびペンホルダ１８を設ければ良い。このように構成しても、上述した実施形態と同様の作用効果がある。
【００４４】
なおまた、上記実施形態では、電子辞書に適用した場合について述べたが、必ずしも電子辞書である必要はなく、電子手帳や電卓、携帯電話機、携帯情報端末機（ＰＤＡ：パーソナル・デジタル・アシスタント）などの各種の折り畳み式の電子機器に広く適用することができる。
【図面の簡単な説明】
【００４５】
【図１】この発明を電子辞書に適用した一実施形態を示した斜視図である。
【図２】図１の第１ケースを示した下面側の斜視図である。
【図３】図２の電池蓋を開いた状態を示した第１ケースの下面側の斜視図である。
【図４】図３の電池蓋を示した内面側の拡大斜視図である。
【図５】図４の電池蓋に設けられたペンホルダから入力ペンを取り外した状態を示した電池蓋の内面側の拡大斜視図である。
【図６】図５の電池蓋の内面にペンホルダを取り付ける状態を示した電池蓋の内面側の拡大斜視図である。
【図７】図３の状態で入力ペンを途中まで引き出した状態を示した第１ケースの下面側の斜視図である。
【図８】図２のＡ−Ａ矢視における要部の拡大断面図である。
【図９】この発明に係わる入力ペンの変形例を示した図である。
【図１０】図９の入力ペンを第２ケースに吸着させて保持した状態を示した電子辞書の斜視図である。
【図１１】この発明を電子辞書に適用した変形例を示した斜視図である。
【符号の説明】
【００４６】
１  第１ケース
２  第２ケース
３  ヒンジ部
４  キー入力部
５  入力表示部
６  入力ペン
６ａ  ペン本体
６ｂ  頭部
６ｃ  凹凸溝部
７  第１ヒンジ部
８  第２ヒンジ部
９  ヒンジ軸
１１  電池
１２  電池収納部
１３  電池蓋
１３ａ  底面部
１３ｂ  背面部
１８  ペンホルダ
１８ａ  一辺部
１８ｂ  他辺部
２０、２１  第１、第２係合部
２２  スライド係止部
２３  固定係止部
２４、２５  閉塞部
２６  ペン挿入部
２６ａ  開放部
【図１】
2008140648.tif 000003
【図２】
2008140648.tif 000004
【図３】
2008140648.tif 000005
【図４】
2008140648.tif 000006
【図５】
2008140648.tif 000007
【図６】
2008140648.tif 000008
【図７】
2008140648.tif 000009
【図８】
2008140648.tif 000010
【図９】
2008140648.tif 000011
【図１０】
2008140648.tif 000012
【図１１】
2008140648.tif 000013